(57)【特許請求の範囲】
【請求項１】
法律などであらかじめ定められた規定情報および製品の特徴を示す宣伝文言や説明図、お客様窓口の電話番号などの自由情報が付与されるパッケージを生産する過程において、前記規定情報および前記自由情報とは別に、当該パッケージを購入する購入先からあらかじめ伝達された購入先の個人情報や贈答先へのメッセージ、所属団体の記念すべき内容などのプライベート情報を、情報処理部を有する付与部によって選択的に付与し、かつプライベート情報にはその情報を付与されたパッケージを所定の届け先に搬送部により搬送するための配送情報を併せ持ち、前記パッケージが、内部に内容物を収容しており、使用時に前記内容物の少なくとも一部を取り出すことができるエアゾール容器の形態であるプライベートパッケージを製造するための製造方法であって、
（ａ）プライベート情報を伝達するための購入先のプライベート情報入力部が、前記付与部へ前記プライベート情報を通信網を介して伝達する段階と、
（ｂ）付与部の情報処理部が、将来受け取る予定のパッケージに付与しようとするプライベート情報、自由情報および規定情報の内容を、前記通信網を介して購入先のプライベート情報入力部に伝達し確認を求める段階と、
（ｃ）前記段階（ｂ）において購入先の確認が付与部の情報処理部によって受信された後、前記付与部の情報処理部により、前記パッケージに、前記規定情報、前記自由情報および前記プライベート情報が付与される段階とからなる製造方法。
【発明の詳細な説明】
【０００１】
【発明の属する技術分野】
本発明はプライベートパッケージおよびその製造システムに関する。さらに詳しくは購入先からのプライベート情報を付与したプライベートパッケージおよびその製造システムに関する。
【０００２】
すなわち、本発明は、人間が他者とは異なる自分だけのものを所有したいという欲求と一定の品質のものを使用したいという欲求とを同時に満足させようとするものである。さらに詳しくはパッケージ製品を購入する個人または団体があらかじめプライベート情報を供給サイドに知らせるだけでプライベート情報が付与されて届けられるプライベートパッケージとそれに関する製造システムを提供することである。
【０００３】
【従来の技術】
個別に生産される物品においてそれを購入する個人または団体の希望する情報を付与されたものは従来からあった。オーダーメードの物品にはそのような場合があり、たとえば洋服、トロフィーまたは墓石などがある。
【０００４】
さらに、大量生産される物品であってもその一部のものに個人の名前や記念の文字などの情報を付与されたものある。
【０００５】
たとえば、名前を刺繍縫いしたワイシャツ、記念のメッセージなどの文字を入れて団体から配布される掛時計などがある。ただし、これらの情報が付与された物品においては、物品などに付与することを希望する文字や写真などの情報（以下、プライベート情報という）が付与される時点は主として生産以後の過程であり、サービスを目的としたり、法律などであらかじめ表示することが定められた情報（以下、規定情報という）がないかごくわずかであるためプライベート情報を製品に付与することはきわめて容易であるなど、一定の条件下でのみ行われる。
【０００６】
さらに、大量生産されたパッケージを購入した個人または団体がその購入したパッケージを他者のパッケージと区別する目的でパッケージ製造後にプライベート情報を付与する場合がある。
【０００７】
たとえば、従来公知の街頭にある自動写真撮影機（いわゆる、プリント倶楽部（商品名））などで撮影した自分の写真シールを自分の化粧品のパッケージなどに貼り付けて自他のパッケージの区別を行っている。
【０００８】
また、他の場合として、供給サイドが供給サイドのみで選定した情報をパッケージに付与して供給することもある。たとえば、キャンペーン期間中だけ特別なメッセージをパッケージに付与する場合などである。このような場合は、あらかじめ規定情報が必要なパッケージ（飲用品または化粧品など内容物の成分や警告注意事項その他の表示が必要なパッケージなど）であっても、供給サイドの都合でメッセージの付与を行うのであるから印刷内容を一時的に変更するなど容易に行うことができる。
【０００９】
【発明が解決しようとする課題】
しかし、前記規定情報が必要であり、かつ大量に生産されるパッケージにおいて、その一部に前記規定情報とは別にそのパッケージを購入する個人または団体などの購入先のあらかじめ伝達したプライベート情報を付与して当該個人、団体またはその指定する届け先に届けられることが常態（通常の生産状態、流通状態など）として行われることはなかった。
【００１０】
本発明はかかる問題を解消するためになされたものであり、規定情報が必要であり、かつ大量に生産されるパッケージであって、購入先の希望するプライベート情報を付与したパッケージを常態で得られるプライベートパッケージおよびその製造システムを提供することを目的とする。
【００１１】
【課題を解決するための手段】
本発明のプライベートパッケージは、法律などであらかじめ定められた規定情報および製品の特徴を示す宣伝文言や説明図、お客様窓口の電話番号などの自由情報が付与されるパッケージを生産する過程において、前記規定情報および前記自由情報とは別に、当該パッケージを購入する購入先からあらかじめ伝達された購入先の個人情報や贈答先へのメッセージ、所属団体の記念すべき内容などのプライベート情報を、情報処理部を有する付与部によって選択的に付与し、かつプライベート情報にはその情報を付与されたパッケージを所定の届け先に搬送部により搬送するための配送情報を併せ持ち、前記パッケージが、内部に内容物を収容しており、使用時に前記内容物の少なくとも一部を取り出すことができるエアゾール容器の形態であるプライベートパッケージを製造するための製造方法であって、
（ａ）プライベート情報を伝達するための購入先のプライベート情報入力部が、前記付与部へ前記プライベート情報を通信網を介して伝達する段階と、
（ｂ）付与部の情報処理部が、将来受け取る予定のパッケージに付与しようとするプライベート情報、自由情報および規定情報の内容を、前記通信網を介して購入先のプライベート情報入力部に伝達し確認を求める段階と、
（ｃ）前記段階（ｂ）において購入先の確認が付与部の情報処理部によって受信された後、前記付与部の情報処理部により、前記パッケージに、前記規定情報、前記自由情報および前記プライベート情報が付与される段階とからなることを特徴とする。
【００２２】
【発明の実施の形態】
つぎに図面を参照しながら本発明のプライベートパッケージおよびその製造システムを詳細に説明する。図１は本発明のプライベートパッケージ製造システムの一実施の形態を示す概略説明図および図２は本発明のプライベートパッケージの一実施の形態を示す斜視説明図である。
【００２３】
本発明は、パッケージを購入する個人または団体などの購入先が希望する情報が付与されたプライベートパッケージ（以下、パッケージという）およびその製造システムに関するものである。さらに詳しくいえば、本発明のポイントは、購入先のプライベート情報伝達と付与部でのすべての情報の一体処理、付与部から購入先への直送、購入先が発注時点で受け取る予定の商品外観を確認できる、などの点である。
【００２４】
図２に示される本実施の形態であるパッケージ１１は、たとえばエアゾール容器からなり、容器本体１２の側面などの外表面において、法律などであらかじめ表示することが定められた規定情報１３および製品の特徴を示す自由情報１５が付与され、さらに、規定情報１３および自由情報１５とは別に、当該パッケージを購入する購入先からあらかじめ伝達されたプライベート情報１４が選択的に付与されたものである。プライベート情報を選択的に付与すべき本数については一般的には表示されないプライベート情報として購入先より伝達される。さらにプライベート情報には届け先に関する配送情報を含んでもよい。規定情報１３、自由情報１５およびプライベート情報のすべてを付与されたパッケージ１１は、所定の届け先に届けられる。前記プライベート情報には、パッケージ１１の希望本数も含まれる。届け先は、購入先本人でもよいし、他の相手でもよい。
【００２５】
図１に示されるように、前記パッケージ１１を製造するための本実施の形態の製造システムは、購入先がそのプライベート情報を伝達するためのプライベート情報入力部１と、前記パッケージ１１に、規定情報１３のみまたは前記規定情報１３および前記プライベート情報１４の両方を付与するための付与部３と、プライベート情報入力部１から前記付与部３へ情報を伝達するインターネットなどの通信網とから構成されている。図１の製造システムの場合、プライベート情報入力部１は、プロバイダ２を経由して付与部３に接続されている。
【００２６】
また、図１に示される製造システムは、後述する付与部３から所定の届け先へパッケージを搬送する搬送部４、およびパッケージ１１の製造元にある情報処理部５を備えている。
【００２７】
パッケージ１１として市販されているあらゆる形態が採用可能であるが、法律などで定められている規定情報（この中には容器の性能情報や表示情報１３を含む）が付与されており、容器本体１２の中に内容物を入れ、使用時に内容物を取り出す形態のものであり、とくに個人所有が主目的であるパッケージが主として当該パッケージの対象となる。
【００２８】
たとえば、化粧品類などのパッケージが本発明のパッケージの代表例であるが、飲用品や家庭用品も含まれ、さらには冠婚葬祭などの各種ギフトやメモリアル用などを目的とする場合も対象となり得る。
【００２９】
個人または団体があらかじめ伝達するプライベート情報１４としては、購入者の個人情報（写真など）や贈答先へのメッセージ、所属団体の記念すべき内容など所望の情報が適用される。個人または団体がプライベート情報１４を伝達する時点ではパッケージ１１を発注するときでもよいし、プライベート情報１４を前記情報処理部５に事前に登録しておいて、当該プライベート情報１４を何度も用いてもよい。
【００３０】
法律などであらかじめ表示することが定められた規定情報１３は、たとえば、食品、化粧品または薬品などの内容物の成分や警告注意事項その他の表示などがあげられる。規定情報１３は、付与部に付属した情報処理機能にあらかじめ登録してあるものを使用することもできるし、また、製造元の情報処理部５などからも入力できる。自由情報１５としてはその製品の特徴を示す宣伝文言や説明図、お客様窓口の電話番号などがあげられる。
【００３１】
プライベート情報１４の伝達手段としては、インターネットなどの通信網、郵便、ファクシミリなどの種々の形態を採用することができるが、とくにインターネットなどの通信網を利用すれば、複雑な情報をより速やかにかつ容易に供給サイドに伝達することができる。さらに購入先がプライベート情報を情報処理手段を通じて伝達する際に、伝達するプライベート情報が付与されたパッケージの外観を前記情報処理手段により事前確認してから正式に発注することも可能である。
【００３２】
個人または団体のプライベート情報１４は直接パッケージ１１の生産場所などの付与部３に伝達されてもよく、販売業者などの供給サイドの情報処理部５を通してパッケージ製造業者の付与部３に伝えられてもよい。
【００３３】
生産場所において、あらかじめ伝達された個人または団体のプライベート情報１４をパッケージ１１に付与する方法としては伝達された情報が文字や写真などの付与である場合には付与すべき情報をそのままパッケージの容器本体１２に貼り付けてもよいが、この場合、購入者が製品購入後に処理するのと変わりがない（ただし、購入者側の手間は要らない）。好ましいのは、伝達されたプライベート情報１４をコンピュータで処理し規定情報１３、自由情報１５と組み合わせる（たとえばコンピューターにより画像処理された全体の印刷内容を付与部３によって印刷するなど）ことによって複雑なプライベート情報１４をより美しくパッケージ１１に付与することができる。
【００３４】
プライベート情報１４の付与の方法としては、パッケージ１１の外面に直接付与してもよく、パッケージを外装する外装箱に付与してもよく、または、プライベート情報１４の一部を別に外装箱に挿入することもできる。
【００３５】
プライベート情報１４をパッケージ１１の外面に直接付与する場合には法律などで定められた表示すべき規定情報１３を隠すことなく行う必要があり、このためにも付与部３においてコンピュータなどの情報処理の利用が有用である。とくに、パッケージがエアゾール形態である場合には法律などにより義務づけられた規定情報１３の表示内容が多く、かつ当然ながらその製品の特徴を示す自由情報１５の表示もあるので、それら以外の情報を美しく追加表示するためには、前述のごとくコンピュータによる処理が望ましい。
【００３６】
プライベート情報１４をパッケージ１１に付与する場合、前記法律などで義務付けられた規定情報１３、前記パッケージ１１を購入する個人または団体から伝達されたプライベート情報１４、および前記製品の特徴を示す自由情報１５とを再加工して一体的に付与させることによりパッケージ１１の外観の見栄えを損なうことなく、パッケージの受け取り側である届け先に対してあたかも届け先のためだけに生産されたパッケージ（本来的なプライベートパッケージ）との印象をより強く与えることができる。
【００３７】
個人または団体から伝達されるプライベート情報には、本実施の形態のような写真または文字などにとどまらず、たとえばキャップの色を変えるなども含んでおり、さらにはこうした視覚情報のみではなく、聴覚情報、味覚情報なども含まれることが考えられ、こうした情報をパッケージに付与する場合、コンピュータ処理を含むことが不可欠である。また、前記外装箱に付与する場合にも同様にコンピュータの利用が有用である。
【００３８】
パッケージ１１を受け取る届け先に供給する方法としては、供給サイドを通してもよいが、好ましくは生産場所（図１における付与部３）から直接届け先（図１におけるプライベート情報入力部１がある購入先またはその指定する届け先）に供給することができる。供給方法としては、従来の郵送や宅配便などを行うための搬送手段からなる搬送部４を利用することができ、その他の個別配達方法も採用することができる。
【００３９】
さらに、届け先に関する配送情報を表示内容に含めることで、前記配送情報に基づき配送のための特別な包装を行うことなく、本来のパッケージ形態のままで生産場所から届け先に直送することも可能である。
【００４０】
さらに前記製造システムは、購入先がプライベート情報の提示を含めて商品を発注する時点で、将来届けられる予定の商品の外観が発注時に事前確認することができる。たとえば、情報処理手段を利用して購入先が商品を発注する時点でプライベート情報を入力すれば、３Ｄ映像で届けられる予定の商品外観が事前確認することができる。
【００４１】
プライベートパッケージの生産は、限定された期間のみに行われるのではなく、生産の常態として行われてこそ購入する個人または団体にとって好ましく価値がある。
【００４２】
【発明の効果】
本発明によれば、パッケージを製造する生産場所において購入先からのプライベート情報を付与してプライベートパッケージを製造し、届け先へ届けることができる。その結果、人間が他者とは異なる自分だけのものを所有したいという欲求と一定の品質のものを使用したいという欲求とを同時に満足させることができる。
【図面の簡単な説明】
【図１】本発明のプライベートパッケージ製造システムの一実施の形態を示す概略説明図である。
【図２】本発明のプライベートパッケージの一実施の形態を示す斜視説明図である。
【符号の説明】
１  （購入先の）プライベート情報入力部
２  プロバイダ
３  （生産場所における情報）付与部
４  （パッケージ）搬送部
５  （供給サイドの）情報処理部
【図１】
0004405612.tif 000002
【図２】
0004405612.tif 000003